(57)【要約】【課題】記録情報に応じた記録パルス信号を生成し、記録媒体に記録する情報記録装置及び記録パルス幅設定方法に関し、正確に記録情報を再生できる情報記録装置及び記録パルス変調方法を提供することを目的とする。【解決手段】本発明は、記録情報に応じて基準クロックの整数倍の記録パルスに変調された記録パルスのパルス幅を、そのパルス幅に応じてそのパルス幅毎に異なる記録時間に予め設定された記録時間に調整することにより、ジッターなどが発生し易い、パルス幅で隣接するパルス幅との間隔を大きくとり、記録パルスの判別を容易にする。【選択図】  図３
2004246963.tif 000002
【特許請求の範囲】
【請求項１】
記録情報に応じた記録パルスを記録媒体に記録する情報記録装置であって、
前記記録情報を基準クロックの整数倍のパルス幅の記録パルスに変調する変調手段と、
前記記録パルスのパルス幅に応じて前記記録媒体への記録時間を設定する設定手段とを有し、
前記設定手段で設定される前記記録時間は、パルス幅の差が異なる時間に設定されたことを特徴とする情報記録装置。
【請求項２】
前記記録時間は、出現頻度の高いパルス幅とそれに隣接するパルス幅とでの差が大きくなるように設定されたことを特徴とする請求項１記載の情報記録装置。
【請求項３】
前記記録時間は、基準クロックの記録時間をＴとしたとき、その４倍のパルス幅が４Ｔより広く設定されたことを特徴とする請求項１又は２記載の情報記録装置。
【請求項４】
前記記録時間は、基準クロックの５倍以上のパルス幅が対応するパルス幅より狭く設定されたことを特徴とする請求項３記載の情報記録装置。
【請求項５】
前記記録時間は、前記記録媒体への記録密度を低下させないように設定されたことを特徴とする請求項１乃至４のいずれか一項記載の情報記録装置。
【請求項６】
再生パルスのパルス幅に応じて記録情報を再生する情報再生装置であって、
前記再生パルスのパルス幅を検出するパルス幅検出手段と、
前記パルス幅検出手段で検出されたパルス幅を基準クロックに基づいて識別し、識別されたパルス幅に基づいて前記記録情報を再生する再生手段とを有し、
前記再生手段は、パルス幅を識別する時間を前記識別されるパルス幅とは異なる時間に設定されたことを特徴とする情報再生装置。
【請求項７】
記録情報に応じた記録パルスを記録媒体に記録し、該記録媒体に記録された記録パルスに基づいて該記録情報を再生する情報記録／再生装置であって、
前記記録情報を基準クロックの整数倍のパルス幅の記録パルスに変調する変調手段と、
前記記録パルスのパルス幅に応じて前記記録媒体への記録時間を設定する設定手段と、
前記再生パルスのパルス幅を検出するパルス幅検出手段と、
前記パルス幅検出手段で検出されたパルス幅を基準クロックに基づいて識別し、識別されたパルス幅に基づいて前記記録情報を再生する再生手段とを有し、
前記記録パルス幅の差が異なる時間に設定されたことを特徴とする情報記録／再生装置。
【請求項８】
記録情報を基準クロックの整数倍の記録パルスに変調する記録パルス変調方法であって、
変調された前記記録パルスのパルス幅が、該パルス幅の差が異なる時間となるように設定されたことを特徴とする記録パルス変調方法。
【発明の詳細な説明】
【０００１】
【発明の属する技術分野】
本発明は情報記録装置及び情報再生装置及び情報記録／再生装置並びに記録パルス変調方法に係り、特に、記録情報に応じた記録パルス信号を生成し、記録媒体に記録する情報記録装置及び情報再生装置及び情報記録／再生装置並びに記録パルス変調方法に関する。
【０００２】
【従来の技術】
光ディスクにおいて、記録情報は、基準クロックＴの３倍から１１倍のパルス幅３Ｔ〜１１Ｔの記録パルスに変調されて記録されている。このとき、例えば、ＣＤ（ｃｏｍｐａｃｔ  ｄｉｓｃ）の場合、基準クロックＴは、約２３１ｎｓｅｃである。また、ＤＶＤ（ｄｉｇｉｔａｌ  ｖｅｒｓａｔｉｌｅ  ｄｉｓｃ）の場合、基準クロックＴは、約３８ｎｓｅｃである。
【０００３】
図９はＣＤ規格に基づいて記録した１０万個のピットの評価を示す図、図１０はＣＤ規格に基づいて記録したピットのパルス幅を示す図である。
【０００４】
図９、図１０に示すように従来のＣＤ規格では、３Ｔ〜１１Ｔの間隔が基準クロックＴ（＝２３１ｎｓｅｃ）となるように設定されていた（例えば、非特許文献１参照）。
【０００５】
【非特許文献１】
中島平太郎、小川博司  共著「図解コンパクトディスク読本（改訂３版）」オーム社、１９９６年５月、ｐ．１５６−１６１
【０００６】
【発明が解決しようとする課題】
しかるに、ＣＤ、ＤＶＤいずれの規格において最も振幅の小さい記録パルス３Ｔは、スポット径とパルス幅の関係からディスク上に記録した後、再生した場合に全振幅が得られない。このため、４Ｔ以上の記録パルスに比べて、ジッタ−が悪化したり、デビエーションがずれたりし、エラーが発生しやすなどの問題点があった。また、３Ｔは図７に示すように出現頻度が高く、エラーの第１の要因となるなどの問題点があった。
【０００７】
本発明は上記の点に鑑みてなされたもので、正確に記録情報を再生できる情報記録装置及び情報再生装置及び情報記録／再生装置並びに記録パルス変調方法を提供することを目的とする。
【０００８】
【課題を解決するための手段】
本発明は、記録情報に応じて基準クロック（Ｔ）の整数倍の記録パルス（３Ｔ〜１１Ｔ）に変調された記録パルスのパルス幅の差を異なる時間（１．２Ｔ、０．９Ｔ）に調整することを特徴とする。
【０００９】
本発明によれば、記録パルスのパルス幅を、そのパルス幅に応じてそのパルス幅毎に異なる記録時間に予め設定された記録時間に調整することによりジッターなどが発生し易い、パルス幅で隣接するパルス幅との間隔を大きくとることにより、記録パルスの判別が容易になる。
【００１０】
【発明の実施の形態】
図１は本発明の情報記録装置の一実施例のブロック構成図を示す。
【００１１】
本実施例の情報記録装置１は、ＣＤ−Ｒ／ＲＷなどの光ディスクドライブ装置であり、ターンテーブル１１、スピンドルモータ１２、光ピックアップ１３、ガイドレール１４、スレッドモータ１５、モータドライバ１６、レーザコントローラ１７、リードアンプ１８、サーボ制御部１９、ＡＴＩＰ検出部２０、デコーダ２１、バッファ２２、インタフェース２３、エンコーダ２４、コントローラ２５、メモリ２６を含む構成とされている。
【００１２】
ターンテーブル１１には、例えば、ＣＤ−Ｒ／ＲＷディスクなどの記録媒体１０が挿着される。ターンテーブル１１は、スピンドルモータ１２の回転軸に固定されており、スピンドルモータ１２の回転により回転可能とされている。
【００１３】
また、記録媒体１０の情報記録面に対向して光ピックアップ１３配置される。
光ピックアップ１３は、ガイドレール１４によりガイドされており、記録媒体１０の半径方向、矢印Ａ方向に移動可能とされている。
【００１４】
図２は光ピックアップ１３の構成図を示す。
【００１５】
光ピックアップ１３は、発光部３１、光学系３２、対物レンズ３３、光検出器３４、トラッキングアクチュエータ３５、フォーカスアクチュエータ３６、レンズホルダ３７、弾性保持部材３８を含む構成とされている。
【００１６】
発光部３１は、レーザダイオードなどから構成され、記録媒体１０への照射光ビームを出力する。発光部３１から出力された光ビームは、光学系３２に供給される。光学系３２は、発光部３１から供給された光ビームを対物レンズ３３の方向に折曲させる。
【００１７】
対物レンズ３３は、光学系３２からの光ビームを記録媒体１０上に収束させるものである。対物レンズ３３は、ワイヤ３８により矢印Ａ、Ｂ方向に移動可能とされたレンズホルダ３７に保持されている。レンズホルダ３７には、トラッキングアクチュエータ３５及びフォーカスアクチュエータ３６が設けられている。トラッキングアクチュエータ３５は、モータドライバ１６から供給されるトラッキング信号に応じてレンズホルダ３７を矢印Ａ方向に移動させ、光ビームＬが所望のトラックを追従するように対物レンズ３３の位置を矢印Ａ方向に移動させる。
フォーカスアクチュエータ３６は、モータドライバ１６から供給されるフォーカス信号に応じてレンズホルダ３７を矢印Ｂ方向に移動させ、光ビームＬが記録媒体１０に合焦するように対物レンズ３３の位置を矢印Ｂ方向に移動させる。
【００１８】
記録媒体１０に収束された光ビームＬにより記録媒体１０に情報が記録される。また、記録媒体１０に収束された光ビームＬの反射光により記録媒体１０に記録された情報が再生される。
【００１９】
情報の記録／再生は、記録媒体１０に照射される光ビームのパワー、すなわち、発光部３１から出力される光ビームのパワーによって制御される。発光部３１は、レーザコントローラ１７により駆動されており、レーザコントローラ１７から供給される駆動信号レベルに応じて出力される光ビームのパワーが制御される。
【００２０】
記録媒体１０で反射された光ビームは、光学系３２を通して光検出器３４に供給される。光検出器３４は、記録媒体１０の反射光のうち主信号成分及びトラッキングエラー信号成分並びにフォーカストラッキング信号成分を各々電気信号に変換する。光検出器３４で変換された電気信号は、リードアンプ１８に供給される。
【００２１】
リードアンプ１８は、光検出器３４からの電気信号を増幅する。リードアンプ１８で増幅された電気信号は、サーボ制御部１９に供給される。
【００２２】
サーボ制御部１９は、主信号成分、及び、トラッキングエラー信号成分、並びに、フォーカスエラー信号成分に基づいてモータドライバ１６を制御する。モータドライバ１６は、スピンドルモータ１２及びスレッドモータ１５並びにトラッキングアクチュエータ３５、フォーカスアクチュエータ３６を、光ピックアップ１３からの光ビームが記録媒体１０上の所望のトラックを合焦しつつ、所望のトラックをトラッキングするように制御する。
【００２３】
また、リードアンプ１８で増幅された電気信号のうち主信号成分は、ＡＴＩＰ検出部２０及びデコーダ２１に供給される。ＡＴＩＰ検出部２０は、主信号成分からＡＴＩＰ信号を検出し、エンコーダ２４に供給する。また、デコーダ２１は、主信号成分から再生データをデコードする。このとき、デコーダ２１は、通常の通り、基準クロック１Ｔ刻みでパルス幅を判別し、元のデータをデコードしている。
【００２４】
デコーダ２１でデコードされた再生データは、バッファ２２に一旦記憶された後、インタフェース２３からホストコンピュータなどに送信される。また、データ記録時には、ホストコンピュータなどからインタフェース２３に記録データが供給される。記録データは、一旦、バッファ２２に記憶される。
【００２５】
バッファ２２に記憶された記録データは、ＡＴＩＰ信号に応じたタイミングで、エンコーダ２４で記録信号にエンコードされる。このとき、記録信号は、基準クロックをＴとしたとき、基準クロックの３倍〜１１倍のパルス幅を有する「３Ｔ」〜「１１Ｔ」のパルス信号として出力される。エンコーダ２４から出力された記録信号は、レーザコントローラ１７に供給される。レーザコントローラ１７は、エンコーダ２４から供給された記録信号に基づいて光ピックアップ１３に内蔵された発光部３１を制御する。発光部３１は、記録信号に応じて記録媒体１０に照射する光ビームの強度が制御される。これによって、記録媒体１０には記録信号に応じた記録ピットが形成される。
【００２６】
次に、エンコーダ２４の動作を説明する。
【００２７】
図３はエンコーダ２４の機能ブロック構成図を示す。
【００２８】
エンコーダ２４は、エンコード部４１、出力部４２、カウント値設定テーブル４３、クロック発生部４４を含む構成とされている。
【００２９】
エンコード部４１は、バッファ２２からの記録データに基づいて記録パルスを生成する。エンコード部４１で生成された記録パルスは、出力部４２に供給される。出力部４２は、エンコード部４１から供給された記録パルスに応じてカウント値設定テーブル４３を参照し、記録パルスのカウント値を設定し、クロック発生部４４からのクロックを設定されたカウント値だけカウントして、記録パルスを生成する。
【００３０】
図４はカウント値設定テーブル４３のデータ構成図を示す。
【００３１】
カウント値設定テーブル４３は、記録パルスのパルス幅３Ｔ〜１１Ｔ毎にそのクロックのカウント値Ｃ３〜Ｃ１１が記憶されている。なお、Ｔは、基準クロックの期間を示す。
【００３２】
カウント値Ｃ３は、時間３Ｔに設定されており、カウント値Ｃ４は時間４Ｔより長い、４．２Ｔに、また、カウント値Ｃ５は、時間５Ｔより長い、５．１Ｔに、カウント値Ｃ６は、時間６Ｔに設定されており、カウント値Ｃ７は時間７Ｔより短い、６．９Ｔに、また、カウント値Ｃ８は、時間８Ｔより短い、７．８Ｔに、カウント値Ｃ９は時間９Ｔより短い、８．７Ｔに、カウント値Ｃ１０は、時間１０Ｔより短い、９．６Ｔに、カウント値Ｃ１１は、時間１１Ｔより短い、時間１０．５Ｔに予め設定されている。以上により、カウント値Ｃ３とカウント値Ｃ４との時間差が＋１．２Ｔとなり、カウント値Ｃ４〜Ｃ１１の各カウント値の時間差は−０．９Ｔとなる。これによって、パルス幅３Ｔとパルス幅４Ｔとの時間差が大きくなるため、再生時にパルス幅３Ｔとパルス幅４Ｔとを明確に識別できるようになる。
【００３３】
パルス幅４Ｔ〜１１Ｔでは形成されるピットが安定しているので、その時間差が短くなっても確実に識別が行える。よって、パルス幅４Ｔ〜１１Ｔでは、そのカウント値Ｃ４〜Ｃ１１の時間差を時間０．９Ｔと短くし、パルス幅３Ｔ〜１１Ｔで、その総時間が従来と略同じ時間となるように設定している。これによって、記録密度が低減することを防止できる。
【００３４】
なお、カウント値設定テーブル４３をメモリ２６に設け、コントローラ２５を介してエンコーダ２４に取り込むようにしてもよい。
【００３５】
次にエンコーダ２４の処理を説明する。
【００３６】
図５はエンコーダ２４の処理フローチャートを示す。
【００３７】
エンコーダ２４は、まず、ステップＳ１−１でエンコード部４１がバッファ２２から記録データを受信すると、エンコード部４１はステップＳ１−２で記録データを解析して、記録パルスパターンを生成する。エンコード部４１で生成された記録パルスパターンは、出力部４２に供給される。出力部４２は、ステップＳ１−３でカウント値設定テーブル４３を参照して、記録パルスパターンに対応するカウント値を取得する。
【００３８】
出力部４２は、ステップＳ１−４で記録が開始されると、ステップＳ１−５で取得されたカウント値がセットされ、ステップＳ１−６で記録媒体１０に記録用光ビームが照射されるようにレーザコントローラ１７を制御するとともに、クロック発生部４４で発生したクロックによりカウント値をダウンカウントする。出力部４２は、ステップＳ１−７でカウント値がゼロになると、ステップＳ１−８で記録媒体１０への記録用光ビームの照射を停止する。出力部４２は、ステップＳ１−９で記録動作が終了するまでステップＳ１−１〜Ｓ１−８の処理を繰り返す。
【００３９】
以上により、記録媒体１０上にカウント値設定テーブル４３に予め設定された記録パルス幅でピットを形成することができる。
【００４０】
上記のようにして出力部４４で生成された記録パルスは、レーザコントローラ１７に供給される。レーザコントローラ１７は、エンコーダ２４からの記録パルスに応じて光ピックアップ１３に内蔵された発光部３１を発光させる。これによって、記録媒体１０には、記録パルスのパルス幅に応じた長さのピットが形成される。
【００４１】
図５は本発明の一実施例の設定したパルス幅でＣＤ規格に基づいて記録した１０万個のピットの評価を示す図、図６は本発明の一実施例の設定したパルス幅でＣＤ規格に基づいて記録したピットのパルス幅を示す図である。
【００４２】
図５に示すように３Ｔのパルス幅は、平均時間が６９４．１６ｎｓｅｃであり、これは基準クロックＴ（＝２１３ｎｓｅｃ）の略３倍となっている。
【００４３】
また、４Ｔのパルス幅は、平均時間が９７１．８２ｎｓｅｃであり、これは基準クロックＴの略４．２倍となっている。さらに、５Ｔのパルス幅は平均時間が１１８０．０６ｎｓｅｃであり、これは基準クロックＴの略５．１倍、６Ｔのパルス幅は平均時間が１３８８．３１ｎｓｅｃであり、これは基準クロックＴの略６倍、７Ｔのパルス幅は平均時間が１５９６．５６ｎｓｅｃであり、これは基準クロックＴの略６．９倍、８Ｔのパルス幅は、平均時間が１８０４．８０ｎｓｅｃであり、これは基準クロックＴの略７．８倍、９Ｔのパルス幅は平均時間が２０１３．０５ｎｓｅｃであり、これは基準クロックＴの略８．７倍、１０Ｔのパルス幅は平均時間が２２２１．３０ｎｓｅｃであり、これは基準クロックＴの略９．６倍、１１Ｔのパルス幅は平均時間が２４２９．５４ｎｓｅｃであり、これは基準クロックＴの略１０．５倍となっている。
【００４４】
このように、４Ｔのパルス幅を４．２Ｔとして光ビームが安定しない３Ｔのパルス幅との差を基準クロックＴより大きくすることにより、３Ｔでジッターが悪化していても４Ｔを確実に識別できるようにできる。
【００４５】
なお、本実施例では、３Ｔと４Ｔとのパルス幅の差を大きくしたが、４Ｔと５Ｔとのパルス幅を基準クロックＴより大きくするようにしてもよく、要は、光ビームが安定しない短いパルス幅程、パルス幅の差を基準クロックＴより大きく設定するようにすればよい。
【００４６】
また、本実施例では、３Ｔと４Ｔとのパルス幅の差を大きくした分、４Ｔ〜１１Ｔでその差を補うようにパルス幅の差を小さくすることにより、全体の記録密度を増加させることがないように工夫されている。
【００４７】
なお、カウント値設定テーブル４３は、外部からの指示に応じてカウント値を変更可能とされている。カウント値設定テーブル４３の変更は、例えば、インタフェース２３からコントローラ２５に指示を行い、コントローラ２５からエンコーダ２４のカウント値設定テーブル４３にアクセスしてカウント値の変更を行うように構成されている。また、ＣＤ−Ｒ／ＲＷなどのドライブでは、単にストラテジを変更することによっても３Ｔ〜１１Ｔの記録パルス幅を自在に、かつ、容易に変更可能であるため、ストラテジの変更によって設定するようにしてもよい。
【００４８】
次に以上のようにしてエンコードされ、記録媒体１０に記録された記録パルスをデコードする場合のデコーダ２１の動作について説明する。
【００４９】
図８はデコーダ２１の処理フローチャートを示す。
【００５０】
デコーダ２１はステップＳ２−１で再生パルスが供給されると、ステップＳ２−２で再生パルスのパルス幅を測定する。デコーダ２１はステップＳ２−３で、測定したパルス幅に基づいて３Ｔ〜１１Ｔを判別する。
【００５１】
デコーダ２１は、３Ｔを再生パルスの終端のエッジが始端から３Ｔを中心としてその前後にあるときに検出し、４Ｔを再生パルスの終端のエッジが始端から４．２Ｔを中心としてその前後にあるときに検出し、５Ｔを再生パルスの終端のエッジが始端から５．１Ｔを中心してその前後にあるときに検出し、６Ｔを再生パルスの終端のエッジが始端から６．０Ｔを中心としてその前後にあるときに検出し、７Ｔを再生パルスの終端のエッジが始端から６．９Ｔを中心にその前後にあるときに検出し、８Ｔを再生パルスの終端のエッジが始端から７．８Ｔを中心としてその前後にあるときに検出し、９Ｔを再生パルスの終端のエッジが始端から８．７Ｔを中心としてその前後にあるときに検出し、１０Ｔを再生パルスの終端のエッジが始端から９．６Ｔを中心としてその前後にあるときに検出し、１１Ｔを再生パルスの終端のエッジが始端から１０．５Ｔを中心としてその前後にあるときに検出する。このとき、デコーダ２１は、エンコーダ２４のカウント値設定テーブル４３に基づいてパルス幅の検出を行う中心時間を認識している。
【００５２】
デコーダ２１は、ステップＳ２−４で、検出された３Ｔ〜１１Ｔに基づいてデータをデコードする。デコーダ２１は、ステップＳ２−５で、デコーダされたデータをバッファ２２に記憶する。デコーダ２１は、ステップＳ２−６で再生が終了するまでステップＳ２−１〜ステップＳ２−５の処理を繰り返す。
【００５３】
なお、これらの設定もエンコーダ２４と同様にコントローラ２５で、ストラテジを変更することによって設定するようにしてもよい。
【００５４】
なお、本実施例では、ＣＤ−Ｒ／ＲＷなどの光ディスクドライブ装置について説明したがＭＯ（ｍａｇｎｅｔｏ−ｏｐｔｉｃａｌ）ディスクなど他の光ディスクドライブ装置やハードディスクドライブ、フロッピー（登録商標）ディスクドライブなど磁気記録装置などにも適用可能である。
【００５５】
【発明の効果】
上述の如く、本発明によれば、記録パルスのパルス幅を、そのパルス幅に応じてそのパルス幅毎に異なる記録時間に予め設定された記録時間に調整することによりジッターなどが発生し易い、パルス幅で隣接するパルス幅との間隔を大きくとることにより、記録パルスの判別が容易になる等の特長を有する。
【図面の簡単な説明】
【図１】本発明の情報記録装置の一実施例のブロック構成図である。
【図２】光ピックアップ１３の構成図である。
【図３】エンコーダ２４の機能ブロック構成図である。
【図４】カウント値設定テーブル４３のデータ構成図である。
【図５】エンコーダ２４の処理フローチャートである。
【図６】本発明の一実施例の設定したパルス幅でＣＤ規格に基づいて記録した１０万個のピットの評価を示す図である。
【図７】本発明の一実施例の設定したパルス幅でＣＤ規格に基づいて記録したピットのパルス幅を示す図である。
【図８】デコーダ２１の処理フローチャートである。
【図９】ＣＤ規格に基づいて記録した１０万個のピットの評価を示す図である。
【図１０】ＣＤ規格に基づいて記録したピットのパルス幅を示す図である。
【符号の説明】
１  情報記録装置
１０  記録媒体
１１  ターンテーブル、１２  スピンドルモータ、１３  光ピックアップ
１４  ガイドレール、１５  スレッドモータ、１６  モータドライバ
１７  レーザコントローラ、１８  リードアンプ、１９  サーボ制御部
２０  ＡＴＩＰ検出部、２１  デコーダ、２２  バッファ
２３  インタフェース、２４  エンコーダ、２５  コントローラ
２６  メモリ
３１  発光部、３２  光学系、３３  対物レンズ、３４  光検出器
３５  トラッキングアクチュエータ、３６  フォーカスアクチュエータ
３７  レンズホルダ、３８  ワイヤ
４１  エンコード部、４２  出力部、４３  カウント値設定テーブル
４４  クロック発生部
【図１】
2004246963.tif 000003
【図２】
2004246963.tif 000004
【図３】
2004246963.tif 000005
【図４】
2004246963.tif 000006
【図５】
2004246963.tif 000007
【図６】
2004246963.tif 000008
【図７】
2004246963.tif 000009
【図８】
2004246963.tif 000010
【図９】
2004246963.tif 000011
【図１０】
2004246963.tif 000012